(57)【要約】【課題】  従来のコネクタを使用してバスバーと印刷配線基板とを電気的に接続して回路網を構成する方法にあっては、コネクタを利用することによって部品が増加すると共に、リード線を印刷配線基板に半田付けしたり、コネクタどうしを接続する等の手間が掛りコストの上昇を招くといった問題があった。【解決手段】  バスバー５を取付けて回路を構成したバスバー基体１と、印刷配線基板４とを接続する回路接続構造において、前記バスバー基体から突出したバスバーの雄端子５ａを、前記印刷配線基板の導電パターンに電気的に接続された雌端子４ｂに差し込むことにより、バスバー基体のバスバーと印刷配線基板の導電パターンとを電気的に接続するようにしたバスバー基体と印刷配線基板との接続構造。【選択図】        図２
2005183822.tif 000002
【特許請求の範囲】
【請求項１】
バスバーを固定して回路を構成したバスバー基体と、印刷配線基板とを接続する回路接続構造において、前記バスバー基体から突出したバスバーの雄端子を、前記印刷配線基板の導電パターンに電気的に接続された雌端子に差し込むことにより、バスバー基体のバスバーと印刷配線基板の導電パターンとを電気的に接続するようにしたことを特徴とするバスバー基体と印刷配線基板との接続構造。
【請求項２】
バスバーを固定して回路を構成したバスバー基体と、印刷配線基板とを接続する回路接続構造において、前記印刷配線基板の導電パターンに電気的に接続された雄端子を、前記バスバー基体に形成された雌端子に差し込むことにより、バスバー基体のバスバーと印刷配線基板の導電パターンとを電気的に接続するようにしたことを特徴とするバスバー基体と印刷配線基板との接続構造。
【請求項３】
前記雄端子は板状に形成され、また、雌端子は前記雄端子の両面を両側から挟持する構造に形成されており、前記雄端子は雌端子によって弾性的に挟持されるようにしたことを特徴とする請求項１または請求項２に記載のバスバー基体と印刷配線基板との接続構造。
【請求項４】
前記印刷配線基板は筐体に形成された収容部に、印刷配線基板の平面方向に対してはガタなく収容し、かつ、前記バスバー基体は前記筐体に固定した状態において、前記雌端子に前記雄端子を接続することで前記印刷配線基板の垂直方向の移動を規制したことを特徴すとる請求項１または請求項２に記載のバスバー基体と印刷配線基板との接続構造。
【発明の詳細な説明】
【技術分野】
【０００１】
本発明は、例えば、車両用室内灯の筐体内に収容されているランプと、該ランプを点灯制御するためのスイッチとを接続するためのバスバー基体と、前記筐体内に収容されカップホルダー等の部分的な個所を照明するための発光ダイオードが取付けられた印刷配線基板の導電パターンと前記スイッチとを接続するための接続構造に関する。
【背景技術】
【０００２】
従来における車両用室内灯としては、例えば、特開２００１−１８０３７２に開示されているように、射出成形によって形成された基体の裏面に，電源、スイッチおよび基体内に収容されているランプを接続するためのバスバーが取付けられたものであった。そして、前記したスイッチをオンにすることで前記ランプと電源とをバスバーによって接続することで点灯するものであった。
【特許文献１】特開２００１−１８０３７２
【発明の開示】
【発明が解決しようとする課題】
【０００３】
ところで、前記した車両用室内灯にあっては、ランプの点滅制御のみであることから、簡単な回路網で構成することができるのでバスバーによって回路網を構成できる。近年、前記室内灯にカップホルダー等の部分的な個所を照明するための発光ダイオードを装備したものが開発されている。
【０００４】
このような室内灯にあっては、前記発光ダイオードを取付けるための印刷配線基板が筐体内に収容されているが、該印刷配線基板の導電パターンと前記バスバーとを接続する方法として、バスバーによって雄コネクタを形成し、このコネクタに雌コネクタを接続し、該雌コネクタより導出されているリード線を前記印刷配線基板の導電パターンを接続し、あるいは、印刷配線基板にもコネクタを形成し、バスバー側の雄コネクタと印刷配線基板側の雄コネクタどうしをリード線で接続された雌コネクタで接続することで、全体の回路網を構成していた。
【０００５】
このようなコネクタを使用してバスバーと印刷配線基板とを電気的に接続して回路網を構成する方法にあっては、コネクタを利用することによって部品が増加すると共に、リード線を印刷配線基板に半田付けしたり、コネクタどうしを接続する等の手間が掛りコストの上昇を招くといった問題があった。
【０００６】
本発明は前記した問題点を解決せんとするもので、その目的とするところは、バスバー基体と印刷配線基板とにおいて、何れかの一方に形成された雄端子を他方に形成された雌端子に差し込むことで、バスバー基体のバスバーと印刷配線基板の導電パターンとが電気的に接続されるので、両回路の接続が簡単に行なえ作業性の向上が図れるものである。
【課題を解決するための手段】
【０００７】
本発明のバスバー基体と印刷配線基板との接続構造は前記した目的を達成せんとするもので、請求項１の手段は、バスバーを固定して回路を構成したバスバー基体と、印刷配線基板とを接続する回路接続構造において、前記バスバー基体から突出したバスバーの雄端子を、前記印刷配線基板の導電パターンに電気的に接続された雌端子に差し込むことにより、バスバー基体のバスバーと印刷配線基板の導電パターンとを電気的に接続するようにしたものである。
【０００８】
請求項２の手段は、バスバーを固定して回路を構成したバスバー基体と、印刷配線基板とを接続する回路接続構造において、前記印刷配線基板の導電パターンに電気的に接続された雄端子を、前記バスバー基体に形成された雌端子に差し込むことにより、バスバー基体のバスバーと印刷配線基板の導電パターンとを電気的に接続するようにしたものである。
【０００９】
請求項３の手段は前記した請求項１または請求項２の手段において、前記雄端子は板状に形成され、また、雌端子は前記雄端子の両面を両側から挟持する構造に形成されており、前記雄端子は雌端子によって弾性的に挟持されるようにしたことを特徴とする。
【００１０】
請求項４の手段は前記した請求項１または請求項２の手段において、前記印刷配線基板は筐体に形成された収容部に、印刷配線基板の平面方向に対してはガタなく収容し、かつ、前記バスバー基体は前記筐体に固定した状態において、前記雌端子に前記雄端子を接続することで前記印刷配線基板の垂直方向の移動を規制したことを特徴すとる。
【発明の効果】
【００１１】
本発明は前記したように、バスバー基体と印刷配線基板とにおいて、何れか一方に形成された雄端子を他方に形成された雌端子に差し込むことで、バスバー基体のバスバーと印刷配線基板の導電パターンとが電気的に接続されるので、両回路の接続が簡単に行なえ作業性の向上が図れるものである。
【００１２】
さらに、雄端子は板状に形成され、また、雌端子は前記雄端子の両面を両側から挟持する構造に形成されており、雄端子は雌端子によって弾性的に挟持されるようにしたので、バスバー基体と印刷配線基板との接続が非常に簡単に行なえると共に、両者の接続状態が振動等の外乱によって外れ難いものである。
【００１３】
さらに、印刷配線基板は筐体に形成された収容部に、印刷配線基板の平面方向に対してはガタなく収容し、かつ、バスバー基体は筐体に固定した状態において、前記雌端子に前記雄端子を接続することで印刷配線基板の垂直方向の移動が規制されるので、印刷配線基板は筐体内において振動等の外乱によっても確実に固定状態が保持される等の効果を有するものである。
【発明を実施するための最良の形態】
【００１４】
本発明は、バスバー基体と印刷配線基板との接続において、該バスバー基体あるいは印刷配線基板の何れか一方に雄端子を形成し、他方に雌端子を形成し、前記雄端子を前記雌端子に差し込むことで、バスバー基体のバスバーと印刷配線基板の導電パターンとが電気的に接続されるものである。
【実施例１】
【００１５】
以下、本発明に係るバスバー基体と印刷配線基板との接続構造を車両用室内灯に応用した場合について図面と共に説明する。
図１は正面側から見た斜視図、図２は同上の背面側から見た斜視図、図３は同上の分解斜視図にして、１はバスバー基体としての射出成形等によって形成したボックス状の筐体にして、長手方向に沿って３つの部屋１１〜１３に分割されている。また、左右の部屋１１，１３の裏面側にはバスバー５を配線するためのバスバー基体１１ａ，１３ａが形成されると共に、それぞれの内部にはランプ（図示せず）を保持するためのランプホルダー２およびプッシュスイッチ３が収容されており、かつ、筐体１の中央側において片持ち状態で一対のレンズ板１４が揺動自在に軸支されている。
【００１６】
そして、前記レンズ板１４の軸支点とは反対側のレンズ板自体を押すことで前記プッシュスイッチ３がオン状態となって前記ランプが点灯し、かつ、再度、レンズ板１４を押してプッシュスイッチ３を操作すると消灯する構造となっている。このような構造の車両用室内灯は公知であり、例えば、本発明の出願人が出願した特開平１１−１６１９４４号に開示されている。また、筐体１における前記左右の部屋に形成されているバスバー基体１１ａ，１３ａには前記ランプホルダー２とプッシュスイッチ３および後述する印刷配線基板４とを接続するためのバスバー５が取付けられている。
【００１７】
さらに、前記した筐体１の中央の部屋１２には、図２、図３に示すように、印刷配線基板４を収納するための基板収納凹部１２ａと、スライドスイッチの摺動部材６を収納する摺動部材収納凹部１２ｂとが形成されている。
【００１８】
４は前記基板収納凹部１２ａ内に水平方向に対してガタが無いように収納される大きさに形成された印刷配線基板にして、発光ダイオード（図示せず）および該発光ダイオードを駆動するための電子部品が半田付けされると共に前記摺動部材収納凹部１２ｂに跨がった状態で取付けられる固定接点部材４ａの基部が半田付けされている。
【００１９】
また、印刷配線基板４の両端側（図において左右方向）には、前記バスバー基体１１ａ，１３ａに取付けられているバスバー５から延長され、かつ、垂下された雄端子５ａを弾性的に挟持する雌端子４ｂが起立した状態で半田付けされている。この雌端子４ｂは側面形状でハート形に折曲されており、前記板状の雄端子５ａを差し込むことで、該雄端子５ａを両側から挟持する形状となっている。
【００２０】
７は前記筐体１における表面側の中央に固定される飾り板にして、前記印刷配線基板４に半田付けされた発光ダイオードよりの光を透過するための孔７ａおよび前記摺動部材６に連結されたスライダー６ａが臨む長孔７ｂが形成されている。そして、前記スライダー６ａを左右方向に移動することでオン・オフ状態となり、オン状態とすることで前記発光ダイオードが点灯して、孔７ａより光が透過して、例えば、車両のシフトレバーやカップホルダー等の一部を部分照明することとなる。
【００２１】
なお、筐体１における中央の部屋１２ａには一対のストッパー１２ｃが起立して形成されており、このストッパー１２ｃに印刷配線基板４に形成された孔４ｃを差し込むことで固定される。また、印刷配線基板４にはコネクター端子４ｄが半田付け固定され、該コネクター端子４ｄに電源やドアの開閉によってオン・オフするドアスイッチからのコネクター（図示せず）を嵌め込むことにより、印刷配線基板４およびバスバー５に電源が供給されると共にドアスイッチからの開閉信号が供給されるようになっている。
【００２２】
次に、前記した構造に基づいて組み立て順序を説明するに、前記した発光ダイオードや電子回路、雌端子４ｂおよびコネクター端子４ｄが半田付けされた印刷配線基板４を筐体１の中央の部屋１２ａ内に挿入しながらストッパー１２ｃに孔４ｃを嵌合することで固定する。この時、印刷配線基板４に半田付けされた固定接点４ａを摺動部材収納凹部１２ｂを構成する壁面に固定する。
【００２３】
なお、ストッパー１２ｃと孔４ｃとによる固定は必ずしも必要ではなく、後述する雄端子５ａを雌端子４ｂに差し込むことで上下方向の移動を阻止することが可能である。
【００２４】
次いで、ランプホルダー２やプッシュスイッチ３を筐体１の左右部屋に図示しない固定手段によって固定すると共にバスバー５を筐体１におけるバスバー基体に適宜手段（裏面に溝を形成して嵌め込む、あるいは、バスバー５より突出させた固定片を裏面に形成した孔に折り込む）によって固定しながら、ランプホルダー２やプッシュスイッチ３と雄雌の関係で接続する。また、この接続と同時にバスバー５に形成されている前記雄端子５ａを前記雌端子４ｂに差し込むことで、印刷配線基板４の導電パターンとバスバー５とは電気的に接続される。
【００２５】
そして、摺動部材収納凹部１２ｂに摺動部材６を収納すると共にスライダー６ａを、該摺動部材６に連結した状態で飾り板７を筐体１の表面に固定することで組み立ては完了する。
【００２６】
このように構成することで、印刷配線基板４の胴体パターンとバスバー５とは雄端子５ａと雌端子４ｂとが接続されるので、印刷配線基板４の導電パターンとバスバー５とは電気的に接続され、かつ、雌端子４ｂは雄端子５ａの両面を両側から挟持することから、電気的な接続が良好となって接触不良による故障は防止できる。
【００２７】
なお、前記した実施例にあっては、バスバー５の雄端子５ａを板状となし、印刷配線基板４の雌端子４ｂを前記雄端子５ａを挟持する形状としたが、バスバー５の端子を雌端子とし、印刷配線基板４の端子を雄端子としてもよい。また、前記雄端子および雌端子の形状は前記実施例に限定されるものではなく、雄端子を円柱状に、雌端子を円筒状にするなど各種の端子形状が考えられるものである。
【産業上の利用可能性】
【００２８】
前記した実施例は車両用の室内灯の場合について説明したが、バスバー基体と印刷配線基板とを接続する全ての装置に応用することが可能であることは当然のことである。
【図面の簡単な説明】
【００２９】
【図１】本発明のバスバー基体と印刷配線基板との接続構造を室内灯に応用した場合の正面側から見た斜視図である。
【図２】同上の背面側から見た斜視図である。
【図３】同上の分解斜視図である。
【符号の説明】
【００３０】
１              筐体
１１ａ，１３ａ  バスバー基体
４              印刷配線基板
４ｂ            雌端子
５              バスバー
５ａ            雄端子
【図１】
2005183822.tif 000003
【図２】
2005183822.tif 000004
【図３】
2005183822.tif 000005